(57)【特許請求の範囲】
【請求項１】
それぞれの内部で藻類が育成される複数のタンクと、
前記複数のタンクのそれぞれの間に設けられ、上流側のタンクから下流側のタンクへ養液及び水の少なくとも一方を含む流体とともに育成された前記藻類が流下するように、前記上流側のタンクと前記下流側のタンクとを連結した複数の移送パイプと、
少なくとも最上流のタンクに前記流体を供給する流体供給パイプと、
前記複数のタンク内の予め定められた一対のタンクに、エアレーション用の空気を交互に供給する単一のポンプを備えた複数のエアレーション装置であって、それぞれが一方のタンクにエアレーション用の空気を供給している際に、他方のタンクにエアレーションを生じさせない量の空気が供給されるように調整される複数のエアレーション装置と、
最下流のタンクから流出した前記流体及び前記藻類を回収する回収槽と、
前記回収槽に回収された前記流体と前記藻類とを分離するスクリーンと、
を備える藻類の育成システム。
【請求項２】
前記タンクは、それぞれ間隔を空けて配置された半透明な円筒形状の容器である、請求項１に記載の藻類の育成システム。
【請求項３】
複数の前記タンクによって１個のブロックが構成されており、前記ブロックが複数形成されている、請求項１又は２に記載の藻類の育成システム。
【請求項４】
前記ブロックにおいて、複数の前記タンクは並列配置され、かつ上流から下流へ向かって並列配置された列の前記タンクの数が増加するように配置されており、上流の前記タンクと下流の前記タンクとが前記移送パイプで繋がれている、請求項３に記載の藻類の育成システム。
【請求項５】
前記エアレーション装置は、
空気を吹き出すエアブロアと、
前記エアブロアに接続されて一対の前記ブロックに交互に空気を供給する２本のエア供給パイプと、
２本の前記エア供給パイプ同士を繋ぐ連結パイプと、
前記連結パイプに設けられ、一方の前記エア供給パイプに空気が供給されている際に、他方の前記エア供給パイプにエアレーションが発生しない量の空気が供給されるように開口が調整される空気調整用バルブと、
を備える請求項４に記載の藻類の育成システム。
【請求項６】
複数のタンク内に養液及び水の少なくとも一方を含む流体を供給し、
前記複数のタンク内の予め定められた一対のタンクにおいて、一方のタンクにエアレーション用の空気を供給している際に、他方のタンクにエアレーションを生じさせない量の空気が供給されるようにエアレーション装置を切り替えて、それぞれの前記タンク内で藻類を育成し、
前記流体とともに、育成された前記藻類を上流側のタンクから下流側のタンクへ流下させ、最下流のタンクから流出させて回収し、
回収された前記藻類と前記流体とを分離する、藻類の育成方法。
【請求項７】
複数の前記タンクによって構成された１個のブロックにおいて、複数の前記タンクを並列配置し、かつ上流から下流へ向かって並列配置した列の前記タンクの数が増加するように配置し、上流の前記タンクから下流の前記タンクへと前記藻類を集めながら移送する、請求項６に記載の藻類の育成方法。
【請求項８】
前記エアレーション装置は、複数の前記タンクによってそれぞれ構成された２個のブロックに交互に空気を供給する、請求項６又は７に記載の藻類の育成方法。
【発明の詳細な説明】
【技術分野】
【０００１】
本発明は、藻類の育成システム及び藻類の育成方法に関する。
【背景技術】
【０００２】
従来の藻類の育成方法として、特許文献１には、栽培水槽内に複数の有孔かごを浮かせ、有孔かご内でアナアオサ変異種（藻類）の栽培を行う栽培方法が開示されている。また、従来の藻類の育成装置として、特許文献２には、複数の養殖槽を多段式に配置し、養殖槽内で海藻類（藻類）を養殖する養殖装置が開示されている。
【先行技術文献】
【特許文献】
【０００３】
【特許文献１】特開平７−２０３７８９号公報
【特許文献２】特開２０１２−２１３３７９号公報
【発明の概要】
【発明が解決しようとする課題】
【０００４】
特許文献１に記載の栽培方法では、栽培水槽内に循環海水流を形成しているが、それぞれの有孔かご内の水流にばらつきが生じ易く、藻類の生育にばらつきが生じる。また、特許文献２に記載の養殖装置では、養殖槽の数に比例して養殖装置全体の高さが高くなるため、養殖槽への給水の際にポンプ等で高い位置まで水をくみ上げる必要がある。また、下方の養殖槽に太陽光が当たり難く、藻類の生育にばらつきが生じる。
【０００５】
本発明は上記事実を考慮し、藻類を効率よく育成することのできる藻類の育成システム及び藻類の育成方法を提供することが目的である。
【課題を解決するための手段】
【０００６】
本発明の請求項１に係る藻類の育成システムは、それぞれの内部で藻類が育成される複数のタンクと、前記複数のタンクのそれぞれの間に設けられ、上流側のタンクから下流側のタンクへ養液及び水の少なくとも一方を含む流体とともに育成された前記藻類が流下するように、前記上流側のタンクと前記下流側のタンクとを連結した複数の移送パイプと、少なくとも最上流のタンクに前記流体を供給する流体供給パイプと、前記複数のタンク内の予め定められた一対のタンクに、エアレーション用の空気を交互に供給する単一のポンプを備えた複数のエアレーション装置であって、それぞれが一方のタンクにエアレーション用の空気を供給している際に、他方のタンクにエアレーションを生じさせない量の空気が供給されるように調整される複数のエアレーション装置と、最下流のタンクから流出した前記流体及び前記藻類を回収する回収槽と、前記回収槽に回収された前記流体と前記藻類とを分離するスクリーンと、を備える。
【０００７】
上記構成による藻類の育成システムによれば、上流側のタンクから下流側のタンクへ流体とともに育成された藻類を流下させる移送パイプと、流体と藻類とを回収する回収槽と、流体と藻類とを分離するスクリーンと、を備えている。したがって、複数のタンク内でそれぞれ育成された藻類を、まとめて回収することができる。
【０００８】
また、エアレーション装置は、単一のポンプで一対のタンクに空気を供給することができる。したがって、ポンプの数を減らすことができる。さらに、他方のタンクに絶えずエアレーションを生じさせない量の空気を供給して与圧しているため、空気を供給する際に、空気が供給されるまでの水圧によるタイムラグを減らすことができる。
【０００９】
本発明の請求項２に係る藻類の育成システムは、請求項１に記載の藻類の育成システムであって、前記タンクは、それぞれ間隔を空けて配置された半透明な円筒形状の容器である。
【００１０】
上記構成による藻類の育成システムによれば、タンクがそれぞれ間隔を空けて配置された半透明な円筒形状の容器であるため、十分な量の太陽光がタンク内に均等に当たる。したがって、藻類の生育条件を均一にすることができ、生育にばらつきが生じ難い。
【００１１】
本発明の請求項３に係る藻類の育成システムは、請求項１又は２に記載の藻類の育成システムであって、複数の前記タンクによって１個のブロックが構成されており、前記ブロックが複数形成されている。
【００１２】
上記構成による藻類の育成システムによれば、複数のタンクを１個のブロックに区画することにより、ブロックごとにまとめて藻類を回収することができる。
【００１３】
本発明の請求項４に係る藻類の育成システムは、請求項３に記載の藻類の育成システムであって、前記ブロックにおいて、複数の前記タンクは並列配置され、かつ上流から下流へ向かって並列配置された列の前記タンクの数が増加するように配置されており、上流の前記タンクと下流の前記タンクとが前記移送パイプで繋がれている。
【００１４】
上記構成による藻類の育成システムによれば、複数のタンクが並列配置され、上流から下流へ向かって並列配置された列のタンクの数が増加するように配置している。したがって、上流から下流へと藻類が流下する際に、藻類が移送パイプ内に詰まるのを抑制することができる。また、ブロックごとに上流と下流とを逆に配置して集約すれば、タンクを設置するスペースを小さくすることができる。
【００１５】
本発明の請求項５に係る藻類の育成システムは、請求項４に記載の藻類の育成システムであって、前記エアレーション装置は、空気を吹き出すエアブロアと、前記エアブロアに接続されて一対の前記ブロックに交互に空気を供給する２本のエア供給パイプと、２本の前記エア供給パイプ同士を繋ぐ連結パイプと、前記連結パイプに設けられ、一方の前記エア供給パイプに空気が供給されている際に、他方の前記エア供給パイプにエアレーションが発生しない量の空気が供給されるように開口が調整される空気調整用バルブと、を備える。
【００１６】
上記構成による藻類の育成システムによれば、２本のエア供給パイプを連結パイプで繋ぎ、連結パイプに設けられた空気調整用バルブの開口を調整することによって、一方のエア供給パイプに空気を供給している際に、他方のエア供給パイプにエアレーションが発生しない量の空気を供給することができる。
【００１７】
本発明の請求項６に係る藻類の育成方法は、複数のタンク内に養液及び水の少なくとも一方を含む流体を供給し、前記複数のタンク内の予め定められた一対のタンクにおいて、一方のタンクにエアレーション用の空気を供給している際に、他方のタンクにエアレーションを生じさせない量の空気が供給されるようにエアレーション装置を切り替えて、それぞれの前記タンク内で藻類を育成し、前記流体とともに、育成された前記藻類を上流側のタンクから下流側のタンクへ流下させ、最下流のタンクから流出させて回収し、回収された前記藻類と前記流体とを分離する。
【００１８】
上記構成による藻類の育成方法によれば、流体とともに育成された藻類を、上流側のタンクから下流側のタンクへ流下させ、最下流のタンクから流出させて回収し、藻類と流体とを分離することによって、複数のタンク内でそれぞれ育成された藻類をまとめて回収することができる。
【００１９】
また、他方のタンクに絶えずエアレーションを生じさせない量の空気を供給して与圧しているため、エアレーション装置を切り替えて他方のタンクにエアレーション用の空気を供給する際に、空気が供給されるまでの水圧によるタイムラグを減らすことができる。
【００２０】
本発明の請求項７に係る藻類の育成方法は、請求項６に記載の藻類の育成方法であって、複数の前記タンクによって構成された１個のブロックにおいて、複数の前記タンクを並列配置し、かつ上流から下流へ向かって並列配置した列の前記タンクの数が増加するように配置し、上流の前記タンクから下流の前記タンクへと前記藻類を集めながら移送する。
【００２１】
上記構成による藻類の育成システムによれば、複数のタンクを１個のブロックに区画して並列配置し、上流から下流へ向かって並列配置した列の前記タンクの数が増加するように配置している。したがって、上流から下流へと藻類が流下する際に、藻類が移送パイプ内に詰まるのを抑制することができる。
【００２２】
本発明の請求項８に係る藻類の育成方法は、請求項６又は７に記載の藻類の育成方法であって、前記エアレーション装置は、前記複数のタンクによってそれぞれ構成された２個のブロックに交互に空気を供給する。
【００２３】
上記構成による藻類の育成システムによれば、複数のタンクを１個のブロックに区画することにより、ブロックごとにまとめて空気を供給することができる。
【発明の効果】
【００２４】
本発明によれば、藻類を効率よく育成することのできる藻類の育成システム及び藻類の育成方法を提供することができる。
【図面の簡単な説明】
【００２５】
【図１】本発明の実施形態に係る藻類の育成システムを示した全体平面図である。
【図２】図１の藻類の育成システムにおける流体供給構造を示した部分拡大図である。
【図３】図１の藻類の育成システムにおけるエア供給構造を示した部分拡大図である。
【図４】図１の藻類の育成システムの部分側面断面図である。
【図５】藻類の育成システムの回収ユニットを示す側面断面図である。
【発明を実施するための形態】
【００２６】
本発明の実施形態に係る藻類の育成システムの一例について、図１〜図４に従って説明する。図１に示すように、本実施形態に係る育成システムは、複数のタンク１０と、複数のオーバー受水部材１２と、回収槽６２及び水槽１４をそれぞれ備える複数の回収ユニット５４と、複数のエアレーション装置１６と、を備えている。
【００２７】
タンク１０は、内部で藻類Ｍが育成されるポリエチレン等から成る半透明な有底円筒形状の容器であって、複数のタンク１０が互いに間隔を空けて配置されている。また、複数のタンク１０は、１０個ごとに１個のブロック２０に区画されており、各ブロック２０において、タンク１０は頂点部分から底辺部分へ向かって徐々に数が増加するように、平面視でピラミッド形状に配置されている。
【００２８】
具体的には、各ブロック２０では、１列目の第１タンク列１０Ｄに１個のタンク１０が配置され、２列目の第２タンク列１０Ｃに２個のタンク１０が並列配置され、３列目の第３タンク列１０Ｂに３個のタンク１０が並列配置され、４列目の第４タンク列１０Ａに４個のタンクが並列配置されている。なお、複数のブロック２０は、それぞれピラミッドの向きが互い違いになるように配列されている。
【００２９】
各ブロック２０の第１タンク列１０Ｄのタンク１０の近傍には、タンク内の流体Ｗの水位が一定の基準を超えた際に流体Ｗを貯留しておくためのオーバー受水部材１２がそれぞれ設けられている。
【００３０】
また、タンク１０内から流下した養液及び水の少なくとも一方を含む流体Ｗを回収し、再びタンク１０へ供給する回収ユニット５４、及びタンク１０内にエアレーション用の空気を供給するエアレーション装置１６が、それぞれ複数のブロック２０ごとに１個設けられている。
【００３１】
図２に示すように、ブロック２０の第１〜第４タンク列１０Ｄ〜１０Ａは、塩化ビニルから成る移送パイプ２２によって直列に連結されている。具体的には、第１タンク列１０Ｄのタンク１０の側面上部と、隣接する第２タンク列１０Ｃのタンク１０の側面上部とが、第１移送パイプ２２Ｄによって連結されている。
【００３２】
また、第２タンク列１０Ｃのタンク１０における第１移送パイプ２２Ｄの連結部分と逆側の側面上部と、隣接する第３タンク列１０Ｂのタンク１０の側面上部とが、第２移送パイプ２２Ｃによって連結されている。
【００３３】
さらに、第３タンク列１０Ｂのタンク１０における第２移送パイプ２２Ｃの連結部分と逆側の側面上部と、隣接する第４タンク列１０Ａのタンク１０の側面上部とが、第３移送パイプ２２Ｂによって連結されている。
【００３４】
また、第４タンク列１０Ａのタンク１０における第３移送パイプ２２Ｂの連結部分と逆側の側面上部には、第４移送パイプ２２Ａの一端が連結されており、第４移送パイプ２２Ａの他端は回収ユニット５４の回収槽６２に連結されている。
【００３５】
回収ユニット５４は、図５に示すように、藻類Ｍ及び流体Ｗが流入する回収槽６２と、藻類Ｍ及び流体Ｗを分離するスクリーン４６と、スクリーン４６で分離された流体Ｗを貯留する水槽１４とを備えている。
【００３６】
回収槽６２には、一端が第４タンク列１０Ａのタンク１０に連結された第４移送パイプ２２Ａの他端と、一端がスクリーン４６に連結された回収用パイプ４８の他端とが連結されている。また、回収用パイプ４８には、回収槽６２内の藻類Ｍ及び流体Ｗをスクリーン４６へとくみ上げる回収用ポンプ５０が設けられている。
【００３７】
スクリーン４６の側面には、スクリーン４６内で分離された藻類Ｍを圧送する圧送パイプ５２が連結されている。また、スクリーン４６の底面には、スクリーン４６内で分離された流体Ｗをスクリーン４６下方に配置された水槽１４へ移送する排出パイプ６４が連結されている。水槽１４には、流体供給パイプ５６の一端が配置され、流体供給パイプ５６には、水槽１４内の流体Ｗをくみ上げる循環ポンプ５８が設けられている。
【００３８】
流体供給パイプ５６の他端は、図２、図４に示すように、ブロック２０の各タンク１０の上部に配置されており、回収ユニット５４で回収された流体Ｗを再び各タンク１０へと供給することができる。流体供給パイプ５６の他端には、それぞれ流体供給パイプ用バルブ６０が設けられている。
【００３９】
なお、第１タンク列１０Ｄのタンク１０における第１移送パイプ２２Ｄの連結部分と逆側の側面上部には、オーバー受水用パイプ２３の一端が連結されており、オーバー受水用パイプ２３の他端はオーバー受水部材１２に連結されている。
【００４０】
図４に示すように、オーバー受水部材１２は袋状の部材であり、バンド１２Ａによってオーバー受水用パイプ２３に取り付けられている。なお、オーバー受水用パイプ２３には、オーバー受水用バルブ２４が設けられている。
【００４１】
エアレーション装置１６は、図３に示すように、空気を供給する１台のエアポンプ３２と、同一構造の２組のエアレーションユニット１８とから構成されている。各エアレーションユニット１８は、エアポンプ３２によって供給された空気を吹き出すエアブロア３０と、一端がエアブロア３０に接続された２本のエア供給パイプ３４とを備えている。なお、図３では、１組のエアレーションユニット１８のみが図示されている。
【００４２】
２本のエア供給パイプ３４には、それぞれエア供給パイプ用バルブ３６が設けられている。また、２本のエア供給パイプ３４のエア供給パイプ用バルブ３６より下流側には、エア供給パイプ３４同士を繋ぐ連結パイプ３８が連結されている。連結パイプ３８には、空気調整用バルブ４０が設けられており、２本のエア供給パイプ３４に流れる空気量の割合が調整可能とされている。なお、連結パイプ３８の径はエア供給パイプ３４の径よりも小さくされている。
【００４３】
２本のエア供給パイプ３４は、それぞれ隣接する２個のブロック２０の間に伸延されており、エア供給パイプ３４にはそれぞれ枝管４２が４本ずつ連結されている。また、枝管４２は、図４に示すように各タンク１０の上部に伸延されている。
【００４４】
枝管４２には複数のエアノズル４４が連結されている。エアノズル４４は、タンク１０ごとに設けられ、タンク１０の上部からタンク１０内に挿入されてタンク１０底部に伸延されている。エアノズル４４の先端には複数の穴４４Ａが形成されており、穴４４Ａからエアレーション（多数の微細気泡）Ｓが発生する。
【００４５】
次に、上記藻類の育成システムを用いた藻類の育成方法の一例について説明する。
【００４６】
まず、水槽１４内の水に養液を追加し、養液を含む流体Ｗを循環ポンプ５８によってくみ上げて、流体供給パイプ５６からそれぞれのタンク１０内に供給する。このとき、流体供給パイプ用バルブ６０によって流体Ｗの供給量を調整する。また、それぞれのタンク１０内に藻類Ｍの種苗を投入する。
【００４７】
その後、エアレーション装置１６のエアポンプ３２を作動させて、エアブロア３０、エア供給パイプ３４、枝管４２を通してエアノズル４４に空気を供給し、タンク１０底部に配置されたエアノズル４４の穴４４ＡからエアレーションＳを発生させる。
【００４８】
また、エアレーションＳによってタンク１０内に水流を発生させる。なお、エアレーション装置１６による各タンク１０への空気の供給は、それぞれのブロック２０ごとに行われ、２個のブロック２０に交互に空気が供給される。
【００４９】
具体的には、一方のエア供給パイプ用バルブ３６が開放されて一方のエア供給パイプ３４にエアブロア３０からエアレーション用の空気が供給される際、他方のエア供給パイプ３４側のエア供給パイプ用バルブ３６は閉鎖される。逆に、他方のエア供給パイプ３４にエアレーション用の空気が供給される際には、他方のエア供給パイプ用バルブ３６が開放されて、一方のエア供給パイプ３４側のエア供給パイプ用バルブ３６は閉鎖される。
【００５０】
なお、一方のエア供給パイプ用バルブ３６に空気が供給される際、連結パイプ３８に設けられた空気調整用バルブ４０の開口を調整することにより、他方のエア供給パイプ用バルブ３６にもエアレーションＳを生じさせない量の空気が供給される。
【００５１】
エアレーションＳを生じさせない量とは、タンク１０内に連続した微細気泡を発生させない程度の量である。具体的には、一方のエア供給パイプ用バルブ３６に供給される量の１０％の量の空気が他方のエア供給パイプ用バルブ３６にも供給されるよう空気調整用バルブ４０の開口が調整される。
【００５２】
藻類Ｍをタンク１０内で育成した後、タンク１０内の水位を移送パイプ２２の位置より高くすると、タンク１０内の流体Ｗが移送パイプ２２を通って下流へと流下する。このとき、エアレーションＳによる水流によって藻類Ｍが水面付近へ巻き上げられるため、藻類Ｍも流体Ｗとともに移送パイプ２２を通って下流へと流下する。
【００５３】
第１タンク列１０Ｄのタンク１０から第２、第３タンク列１０Ｃ、１０Ｂのタンク１０を経て第４タンク列１０Ａのタンク１０へと流下した流体Ｗ及び藻類Ｍは、第４移送パイプ２２Ａを通って回収ユニット５４の回収槽６２へと流出する。
【００５４】
回収槽６２に流出した流体Ｗ及び藻類Ｍは、回収用ポンプ５０によってくみ上げられ、回収用パイプ４８を通ってスクリーン４６内へと移送される。スクリーン４６内では、流体Ｗ及び藻類Ｍの分離が行われ、分離された藻類Ｍはスクリーン４６内の圧送装置から圧送パイプ５２を通って外部へと圧送される。
【００５５】
また、スクリーン４６内で分離された流体Ｗは、水槽１４に貯留される。水槽１４内の流体Ｗは、再び養液を追加されて循環ポンプ５８によってくみ上げられ、流体供給パイプ５６を通って各タンク１０に供給される。
【００５６】
なお、降雨の際などに雨水がタンク１０内に流入して、タンク１０内の水位が上昇した場合には、オーバー受水用バルブ２４を開放して、オーバー受水用パイプ２３を通してオーバー受水部材１２にタンク１０内の流体Ｗを流出させる。雨水により増えた分の流体Ｗをオーバー受水部材１２によって一時的に貯留することにより、タンク１０上部から流体Ｗがあふれ出すことを防ぐことができる。
【００５７】
また、オーバー受水用バルブ２４を開放する際には、エアレーション装置１６による空気の供給を停止する。タンク１０内にエアレーションＳによる水流が発生しないため、藻類Ｍが巻き上げられることがなく、流体Ｗとともに藻類Ｍがオーバー受水部材１２へ流出することを防ぐことができる。
【００５８】
上述した一連の工程を繰り返すことにより、各タンク１０内での藻類Ｍの育成、及び育成された藻類Ｍの回収を行うことができる。本発明の実施形態に係る藻類Ｍの育成システム及び藻類Ｍの育成方法では、各タンク１０が間隔を空けて配置された半透明な円筒形状の容器であるため、十分な量の太陽光をタンク内に均等に当てることができる。したがって、藻類Ｍの生育条件を均一にすることができ、生育にばらつきが生じ難い。
【００５９】
また、複数のタンク１０をブロック２０に区画し、各ブロック２０において上流から下流へ向かって並列配置された列のタンク１０の数が増加するように配置している。したがって、タンク１０内の藻類Ｍが上流から下流へと流下する際に、藻類Ｍが移送パイプ２２内に詰まるのを抑制することができる。
【００６０】
また、タンク１０ごとにエアノズル４４を設け、タンク１０ごとにエアレーションＳを発生させるため、各タンク１０の藻類Ｍに均等に酸素を供給することができる。また、エアレーションＳによる水流もタンク１０ごとに発生させることができるため、各タンク１０の水流にばらつきが生じ難い。
【００６１】
また、エアレーション装置１６は、単一のエアポンプ３２によって４個のブロック２０に空気を供給することができる。したがって、１個のブロック２０に対して１台のエアポンプが設けられている構成と比較して、エアポンプ３２の数を減らすことができる。          
【００６２】
さらに、一方のエア供給パイプ３４に空気を供給している際に、他方のエア供給パイプ３４に絶えずエアレーションＳを生じさせない量の空気を供給して与圧している。したがって、エアレーション装置１６を切り替えて他方のエア供給パイプ３４にエアレーション用の空気を供給する際に、水圧によるタイムラグを減らすことができる。
【００６３】
また、移送パイプ２２を各タンク１０の側面上部に設けたため、水流によってタンク１０上部に巻き上げられた藻類Ｍを効率的に移送することができる。また、それぞれの移送パイプ２２にバルブを設けることなく、第１〜第４タンク列１０Ｄ〜１０Ａの各タンク１０内の藻類Ｍを一度に流下させることができる。
【００６４】
なお、本発明について実施形態の一例を説明したが、本発明はかかる実施形態に限定されるものではなく、本発明の範囲内にて他の種々の実施形態が可能である。
【００６５】
例えば、上記実施形態では、１０個のタンク１０が１個のブロック２０に区画されていたが、１個のブロック２０にタンク１０が何個含まれていてもよい。また、ブロック２０の形状も平面視でピラミッド形状でなくてもよく、タンク１０が１列に並列されている形状であってもよい。
【００６６】
また、エアレーション装置１６は、ブロック２０ごとに交互に空気を供給する構成とされていたが、タンク１０ごとに交互に空気を供給する構成とされていてもよい。
【符号の説明】
【００６７】
１０          タンク
１６          エアレーション装置
２０          ブロック
２２          移送パイプ
３０          エアブロア
３２          エアポンプ（ポンプ）
３４          エア供給パイプ
３８          連結パイプ
４０          空気調整用バルブ
４６          スクリーン
５６          流体供給パイプ
６２          回収槽
Ｍ            藻類
Ｓ            エアレーション
Ｗ            流体
【要約】
【課題】藻類を効率よく育成することのできる藻類の育成システム及び藻類の育成方法を提供する。
【解決手段】それぞれの内部で藻類が育成される複数のタンク１０と、複数のタンク１０のそれぞれの間に設けられ、上流側のタンク１０から下流側のタンク１０へ養液及び水の少なくとも一方を含む流体Ｗとともに育成された藻類Ｍが流下するように、上流側のタンク１０と下流側のタンク１０とを連結した複数の移送パイプ２２と、少なくとも最上流のタンク１０Ａに流体Ｗを供給する流体供給パイプ５６と、一対のタンク１０の一方のタンク１０にエアレーション用の空気を供給している際に、他方のタンク１０にエアレーションＳを生じさせない量の空気が供給されるように調整される複数のエアレーション装置と、最下流のタンク１０から流出した流体Ｗ及び藻類Ｍを回収する回収槽６２と、回収槽６２に回収された流体Ｗと藻類Ｍとを分離するスクリーンと、を備える。
【選択図】図４【図１】
0005613859.tif 000002
【図２】
0005613859.tif 000003
【図３】
0005613859.tif 000004
【図４】
0005613859.tif 000005
【図５】
0005613859.tif 000006